(57)【特許請求の範囲】
【請求項１】
相対的に多量のビデオデ−タ−を処理し出力するコンピュ−タ−のメインＶＧＡに連結され、相対的に高い解像度を有するメインモニターと比べて、相対的に低い解像度で構成される補助モニターを駆動するための、補助モニター用の接続機能が備えられていないコンピュータ用の、補助モニター駆動用ビデオグラフィックアダプターにおいて、
コンピュ−タ−の第１ＵＳＢポ−トを通して出力されるビデオデ−タ−が入力される第２ＵＳＢポ−トと；
前記第２ＵＳＢポ−トを通して入力されるビデオデ−タ−を入力して貯蔵し出力するビデオメモリ−と；
前記ビデオメモリ−に貯蔵されたビデオデ−タ−をアナログ信号へと変換して補助モニターに出力するＲＡＭＤＡＣと；
前記第２ＵＳＢポ−トを通して入力されるビデオデ−タ−を前記ビデオメモリ−に貯蔵した後、これを前記ＲＡＭＤＡＣに出力する制御部と；
前記制御部の動作に必要な制御デ−タ−を貯蔵するビデオＢＩＯＳとを含む、ＵＳＢポ−トを用いたデュアルモニターの補助モニター駆動用ビデオグラフィックアダプターであって、
前記制御部、ビデオＢＩＯＳ、ＲＡＭＤＡＣ、ビデオメモリ−の動作に必要な電源を生成し供給する電源供給部を含んで構成され、
前記電源供給部は、別途の外部電源が供給されると、前記制御部、ビデオＢＩＯＳ、ＲＡＭＤＡＣ、ビデオメモリ−の動作に必要な電源へと変換して供給するＡＣ−ＤＣコンバ−タ−を含み、
前記制御部が、前記第２ＵＳＢポ−トを通して入力されるビデオデ−タ−を監視しているとき、一定の時間以上新たなビデオデ−タ−が入力されないと、前記電源供給部を用いて前記補助モニターの動作モ−ドを待機モ−ドへと転換させることにより節電機能を行い、
前記電源供給部が、前記コンピュ−タ−からビデオデ−タ−が出力されないと前記補助モニターとそれ自体の動作を停止させることにより節電機能を行い、
前記制御部、ビデオＢＩＯＳ、ＲＡＭＤＡＣ、ビデオメモリ−は、ワンチップＩＣで構成されることを特徴とする、ＵＳＢポ−トを用いたデュアルモニターの補助モニター駆動用ビデオグラフィックアダプター。
【請求項２】
相対的に多量のビデオデ−タ−を処理し出力するコンピュ−タ−のメインＶＧＡに連結され、相対的に高い解像度を有するメインモニターと比べて、相対的に低い解像度で構成される補助モニターを駆動するための、補助モニター用の接続機能が備えられていないコンピュータ用の、補助モニター駆動用ビデオグラフィックアダプターにおいて、
コンピュ−タ−の第１ＵＳＢポ−トを通して出力されるビデオデ−タ−が入力される第２ＵＳＢポ−トと；
前記第２ＵＳＢポ−トを通して入力されるビデオデ−タ−を入力して貯蔵し出力するビデオメモリ−と；
前記ビデオメモリ−に貯蔵されたビデオデ−タ−をアナログ信号へと変換して補助モニターに出力するＲＡＭＤＡＣと；
前記第２ＵＳＢポ−トを通して入力されるビデオデ−タ−を前記ビデオメモリ−に貯蔵した後、これを前記ＲＡＭＤＡＣに出力する制御部と；
前記制御部の動作に必要な制御デ−タ−を貯蔵するビデオＢＩＯＳとを含む、ＵＳＢポ−トを用いたデュアルモニターの補助モニター駆動用ビデオグラフィックアダプターであって、
前記制御部、ビデオＢＩＯＳ、ＲＡＭＤＡＣ、ビデオメモリ−の動作に必要な電源を生成し供給する電源供給部を含んで構成され、
前記電源供給部は、前記第２ＵＳＢポ−トを通して前記コンピュ−タ−の第１ＵＳＢポ−トから供給される電源を用いて、前記制御部、ビデオＢＩＯＳ、ＲＡＭＤＡＣ、ビデオメモリ−の動作に必要な電源へと変換して出力するＤＣ−ＤＣコンバ−タ−で構成され、
前記制御部が、前記第２ＵＳＢポ−トを通して入力されるビデオデ−タ−を監視しているとき、一定の時間以上新たなビデオデ−タ−が入力されないと、前記電源供給部を用いて前記補助モニターの動作モ−ドを待機モ−ドへと転換させることにより節電機能を行い、
前記電源供給部が、前記コンピュ−タ−からビデオデ−タ−が出力されないと前記補助モニターとそれ自体の動作を停止させることにより節電機能を行い、
前記制御部、ビデオＢＩＯＳ、ＲＡＭＤＡＣ、ビデオメモリ−は、ワンチップＩＣで構成されることを特徴とする、ＵＳＢポ−トを用いたデュアルモニターの補助モニター駆動用ビデオグラフィックアダプター。
【発明の詳細な説明】
【０００１】
技術分野
本発明は、ＵＳＢポ−トを用いたデュアルモニタ−の補助モニタ−駆動用ビデオグラフィックアダプタ−に係り、より詳しくはメインモニタ−と補助モニタ−とで構成されたデュアルモニタ−において、補助モニタ−をＵＳＢポ−トを用いて駆動させるためのビデオグラフィックアダプタ−に関する。
【０００２】
背景技術
一般的に、コンピュ−タ−を用いるためには、ＣＰＵが取り付けられたメインボ−ド、ビデオグラフィックカ−ド、サウンドカ−ド、インタ−フェ−ス、貯蔵装置、入力装置、出力装置(モニタ−、プリンタ−など)が必要とされる。
【０００３】
前記モニタ−は、ＣＰＵ及びビデオグラフィックカ−ドから電送された信号によって所定の映像を再生して使用者が目で見ることができるようにする装置であって、本発明にて用いられるデュアルモニタ−は、相対的に表示面積の広いメインモニタ−と、前記メインモニタ−と比べて相対的に表示面積の狭い補助モニタ−とで構成される。
【０００４】
前記メインモニタ−は、通常的に１５．１インチのＬＣＤパネルで構成され１０２４×７６８の解像度を有し、補助モニタ−は、６．４インチのＬＣＤパネルで構成され６４０×４８０の解像度を有する。
【０００５】
従って、前記メインモニタ−は、１０２４×７６８の解像度と３２ビットのツル−カラ−を表示するためのビデオデ−タ−を電送するために、高機能のＶＧＡを採用して駆動しなければならない。
【０００６】
そのために、既存よりはＰＣＩバスタイプのＶＧＡが多用されたが、最近はＡＧＰ(Accelerated Graphic Port)ＶＧＡが多用されている実情である。
【０００７】
ＡＧＰは、３３MHzで作動する既存のＰＣＩバスを改善し、６６〜１３３MHzの電送速度を有し、「ノ−ウェイト(No Wait)」モ−ドで作動するように設計されて、主基板とグラフィックカ−ド間のデ−タ−伝送速度を画期的に改善して多量のビデオデ−タ−を効率的に処理できるようにしたビデオグラフィックアダプタ−である。
【０００８】
しかし、前記補助モニタ−の場合、メインモニタ−と比べて相対的に少量のビデオデ−タ−を電送するだけでも良いため、高機能のＶＧＡを用いる必要が無い。
【０００９】
また、普通のＰＣの場合、一台のモニタ−で基本的な構成が成されるため、ＡＧＰ(Accelerated Graphic Port)ＶＧＡポ−トが一つだけ設定されている。従って、二台以上のモニタ−を連結するために必要とされる他のＶＧＡはＰＣＩタイプのＶＧＡを用いらなければならないし、それ以上用いるＰＣＩスロットが無い場合にはＥ−ＩＤＥスロットを用いるＶＧＡを用いる必要があった。
【００１０】
通常的にＰＣは、ＡＧＰスロットが一つ、ＰＣＩスロットが三つ、Ｅ−ＩＤＥスロットが一つ備えられている場合が殆どである。
【００１１】
従って、ＰＣにＰＣＩタイプのスキャナ−、サウンドカ−ド、ＬＡＮカ−ドなどが連結され、Ｅ−ＩＤＥスロットにモデムなどが連結される場合、別途のＶＧＡを連結するスロットが不足になる現状が発生し、場合によっては、使用者が他の種類の周辺器機などを連結して用いるとなると、バススロットが不足になる問題点が発生する。
【００１２】
このような問題点を解消するために、デュアル出力ポ−トを有するＶＧＡを用いて二台のモニタ−を連結すればよいが、そのためには別途のデュアル出力ポ−トＶＧＡを備えなければならない。
【００１３】
更に、前記のような補助モニタ−を駆動するために、補助モニタ−の表示環境と比べて高機能のＶＧＡを用いると、前記補助モニタ−にて必要とされるデ−タ−が相対的に少ないためＶＧＡの性能及び処理容量が浪費される問題点がある。
【００１４】
従って、既存のシリアルポ−トや並列ポ−トと比べて多量のデ−タ−を電送することができる新たな規格を有するＵＳＢポ−トを用いてビデオデ−タ−を処理すればよいが、現在までも、このためのビデオグラフィックアダプタが開発されていない実情である。
【００１５】
発明の開示
従って、本発明は、このような従来の技術の問題点を勘案し案出されたものであって、その目的は、それぞれ一台のＰＣに連結されビデオデ−タ−を表示するメインモニタ−と補助モニタ−とで構成されたデュアルモニタ−において、相対的にビデオデ−タ−の量が少ない補助モニタ−を駆動させるＶＧＡをＵＳＢポ−トを用いたＶＧＡで構成することにより、ＰＣの使用効率を改善するＵＳＢポ−トを用いたデュアルモニタ−の補助モニタ−駆動用ビデオグラフィックアダプタ−を提供することにある。
【００１６】
前記の目的を達成するために、本発明は、相対的に多量のビデオデ−タ−を処理し出力するコンピュ−タ−のメインＶＧＡに連結され、相対的に高い解像度を有するメインモニタ−と比べて、相対的に低い解像度で構成される補助モニタ−を駆動するための補助モニタ−用ビデオグラフィックアダプタ−において、コンピュ−タ−の第１ＵＳＢポ−トを通して出力されるビデオデ−タ−が入力される第２ＵＳＢポ−トと；前記第２ＵＳＢポ−トを通して入力されるビデオデ−タ−を入力して貯蔵し出力するビデオメモリ−と；前記ビデオメモリ−に貯蔵されたビデオデ−タ−をアナログ信号へと変換して補助モニタ−に出力するＲＡＭＤＡＣと；前記第２ＵＳＢポ−トを通して入力されるビデオデ−タ−を前記ビデオメモリ−に貯蔵した後、これを前記ＲＡＭＤＡＣに出力する制御部と；前記制御部の動作に必要な制御デ−タ−を貯蔵するビデオＢＩＯＳとを含んで構成されることを特徴とするＵＳＢポ−トを用いたデュアルモニタ−の補助モニタ−駆動用ビデオグラフィックアダプタ−を提供する。
【００１７】
そして、本発明は、前記制御部、ビデオＢＩＯＳ、ＲＡＭＤＡＣ、ビデオメモリ−の動作に必要な電源を生成し供給する電源供給部を更に含んで構成され、前記電源供給部は、別途の外部電源が供給されると、前記制御部、ビデオＢＩＯＳ、ＲＡＭＤＡＣ、ビデオメモリ−の動作に必要な電源へと変換して供給するＡＣ−ＤＣコンバ−タ−で成されるか、前記電源供給部は、前記第２ＵＳＢポ−トを通して前記コンピュ−タ−の第１ＵＳＢポ−トから供給される電源を用いて前記制御部、ビデオＢＩＯＳ、ＲＡＭＤＡＣ、ビデオメモリ−の動作に必要な電源へと変換して出力するＤＣ−ＤＣコンバ−タ−で構成される。
【００１８】
前記制御部が、前記第２ＵＳＢポ−トを通して入力されるビデオデ−タ−を監視しているとき、一定の時間以上新たなビデオデ−タ−が入力されないと、前記電源供給部を用いて前記補助モニタ−の動作モ−ドを待機モ−ドへと転換させることにより節電機能を行うか、或いは前記電源供給部が前記コンピュ−タ−からビデオデ−タ−が出力されないと前記補助モニタ−とそれ自体の動作を停止させることにより節電機能を行う。
【００１９】
そして、前記制御部、ビデオＢＩＯＳ、ＲＡＭＤＡＣ、ビデオメモリ−は、ワンチップＩＣで構成される。
【００２０】
発明を実施するための最良の形態
以下に、前記の本発明を好適な実施の形態の図示された添付図面を参考して更に詳しく説明する。
【００２１】
添付の図面、図１は本発明によるＵＳＢポ−トを用いたデュアルモニタ−の補助モニタ−駆動用ビデオグラフィックアダプタ−の構成を説明するための構成図、図２は本発明にてＵＳＢ ＶＧＡの構成を説明するためのブロック図、図３は本発明にＵＳＢ ＶＧＡの異なった構成を説明するためのブロック図である。
【００２２】
通常的に、今日ＰＣ環境の周辺器機が多様化するに従って、既存よりのＰＣ環境で用いられるカ−ド方式のデバイスを連結するスロットと、プリンタ−、マウスなどの周辺器機を連結するポ−トとの物理的な空間が不足してきた。それだけでなく、ＰＣ環境で周辺器機を用いる場合、必要なＩＲＱの不足により多くの周辺器機の連結は不可能であった。このような問題点を解決するために、ＵＳＢ(Universal serial Bus)と呼ばれる新たな方式のデバイス連結方法が開発された。
【００２３】
ＵＳＢは、ハブを通してコンピュ−タ−の外部から容易に周辺装置を連結することができるようになり、またこれを用いればＵＳＢを装着したＰＣは最大１２７個の周辺装置が連結可能になる。更に、ＵＳＢから提供される共通のインタ−フェ−スを標準として周辺装置を製作することになるため、開発者らは周辺装置を製作する際、新たなインタ−フェ−スの開発と既存の周辺装置との衝突に対する負担を減らすことができる。またＰｎＰ(Plug and Play)の機能をより容易に支援できるようになったため、これにより使用者はコンピュ−タ−の内部を開けることなくより容易にハブなどを通して周辺装置を設置することができるようになった。
【００２４】
このような特徴を有するＵＳＢは、最高１２Mbpsの速度と１．５Mbpsのサブチャネル速度を有する。最大１２７個の周辺器機を用いることができ、ケ−ブルも５ｍ程度として長いため既存の直列／並列ポ−トと代替し得る次世代インタ−フェ−スである。
【００２５】
特に、ＵＳＢは、プラグ＆プレイ(Plug and Play)を完璧に支援し、ジャンパ−、ＩＲＱ、番地などの設定に気を使わなくてもよい。また、全ての周辺器機が同一なＵＳＢコネクタ−、ケ−ブルに連結され、差し込む順序に関係無く電源の付いた状態でも自由に差し込んだり引き抜くことができる。これはＰＣのバイオスと運営体制から自動的に把握され、それに従った設置作業も必要なく自動的に行われる。即ち、ＵＳＢ端子に周辺器機が噛合った瞬間、その周辺器機が何なのかに対するデ−タ−をシステムが認識し、外した瞬間、これが報告される。
【００２６】
また、新たなＵＳＢ規格のＵＳＢ２．０の場合、最大デ−タ−電送速度が３６０〜４８０Mbps水準に高くなったため、本発明においてのように補助モニタ−３４のビデオデ−タ−を処理することができる十分なデ−タ−伝達速度を確保している。
【００２７】
前記のような特徴を有する本発明によるＵＳＢポ−トを用いたデュアルモニタ−の補助モニタ−駆動用ビデオグラフィックアダプタ−を説明する前に、本発明にて用いられるデュアルモニタ−３０に対して説明する。
【００２８】
デュアルモニタ−は図１にて示されるとおり、１０２４×７６８の解像度を有する１５．１インチのＬＣＤパネルで構成されたメインモニタ−３２と、前記メインモニタ−３２と比べて相対的に低い解像度の６４０×４８０の解像度を有する６．４インチの補助モニタ−３４とで構成される。
【００２９】
前記メインモニタ−３２は、コンピュ−タ−１０に取り付けられたメインＶＧＡ１４により出力されるビデオデ−タ−を表示するものであり、前記メインＶＧＡ１４はＡＧＰ ＶＧＡまたはＰＣＩ ＶＧＡで構成される。
【００３０】
前記補助モニタ−３４は、コンピュ−タ−１０の第１ＵＳＢポ−ト１２を通して出力されるビデオデ−タ−を入力して処理し出力するＵＳＢ ＶＧＡ４０により駆動される。
【００３１】
従って、コンピュ−タ−１０とモニタ−３０を連結するケ−ブル２０は、前記メインＶＧＡ１４とメインモニタ−３２を連結するメインビデオケ−ブル２２と、前記コンピュ−タ−の第１ＵＳＢポ−ト１２と前記ＵＳＢ ＶＧＡ４０の第２ＵＳＢポ−ト４２を連結するＵＳＢケ−ブル２４とで構成される。
【００３２】
そして、前記ＵＳＢ ＶＧＡ４０と補助モニタ−３４は別途の補助ビデオケ−ブル２６により連結される。
【００３３】
前記ＵＳＢ ＶＧＡ４０は、図２に示されるとおり、前記ＵＳＢケ−ブル２４により前記コンピュ−タ−１０の第１ＵＳＢポ−ト１２に連結されビデオデ−タ−が入力される第２ＵＳＢポ−ト４２、前記第２ＵＳＢポ−ト４２を通して入力されるビデオデ−タ−を入力して貯蔵し出力するビデオメモリ−４５、前記ビデオメモリ−４５に貯蔵されたビデオデ−タ−をアナログ信号へと変換して前記補助モニタ−３４へと出力するＲＡＭＤＡＣ４４、前記第２ＵＳＢポ−ト４２を通して入力されるビデオデ−タ−を前記ビデオメモリ−４５に貯蔵した後、これを前記ＲＡＭＤＡＣ４４に出力する制御部４１、前記制御部４１の動作に必要な制御デ−タ−を貯蔵するビデオＢＩＯＳ４３、前記制御部４１、ビデオＢＩＯＳ４３、ＲＡＭＤＡＣ４４、ビデオメモリ−４５の動作に必要な電源を生成して供給する電源供給部４６で構成される。
【００３４】
ここで、前記電源供給部４６は、図２に示すとおり、別途の外部電源が供給されると前記構成要素の動作に必要な電源を生成し供給するＡＣ−ＤＣコンバ−タ−である場合と、図３に示すとおり、前記第２ＵＳＢポ−ト４２を通して前記コンピュ−タ−１０の第１ＵＳＢポ−ト１２から供給されるＤＣ５Ｖ最大５００mAの電源が供給されると、前記構成要素の動作に必要な電源へと変換して供給するＤＣ−ＤＣコンバ−タ−である場合がある。
【００３５】
前記構成要素の動作電源として使用することにおいて、図２のように別途の外部電源が供給されると適正電圧へと変換して供給するＡＣ−ＤＣコンバ−タ−の場合、十分な電力を供給することができるため特別な問題は無いが、図３のようにコンピュ−タ−１０の第１ＵＳＢポ−ト１２を通して供給されるＤＣ５V、最大５００mAの電源を用いるＤＣ−ＤＣコンバ−タ−の場合、安定的に用いられる電流量が通常的に１００mAに制限されているため、前記構成要素の消耗電力がこれより多い場合には不適切な問題点がある。
【００３６】
従って、前記ＵＳＢ ＶＧＡ４０の消耗電力を考慮して電源供給方式を決定するのが好ましい。
【００３７】
一方、前記制御部４１は、前記第２ＵＳＢポ−ト４２を通して入力されるビデオデ−タ−を監視しているとき、一定の時間以上新たなビデオデ−タ−が入力されないと、前記電源供給部４６を用いて前記補助モニタ−３４の動作モ−ドを待機モ−ドへと転換させることにより節電機能を行うことができる。
【００３８】
また、前記電源供給部４６は、前記コンピュ−タ−１０からビデオデ−タ−が出力されない場合動作する必要が無いため補助モニタ−３４の動作を停止するのはもちろん、前記ＵＳＢ ＶＧＡ４０の動作も不必要となるので動作電源を遮断してより向上された節電機能を行うことができるのである。
【００３９】
前記の実施の形態においては、ＵＳＢ ＶＧＡ４０を構成するためにそれぞれのチップセットを用いて構成したが、前記メインＶＧＡ１４と比べて少ない仕様でありながら特定の機能だけを行っても構わないため統合の可能なもの、例えば制御部４１、ビデオＢＩＯＳ４３、ＲＡＭＤＡＣ４４、ビデオメモリ−４５で構成されるワンチップＩＣを用いて構成しても構わない。
【００４０】
産業上の利用可能性
前記のように、本発明においては相対的に高い解像度を有するメインモニタ−と、相対的に低い解像度を有する補助モニタ−とで構成されるデュアルモニタ−において、補助モニタ−を駆動するための補助ＶＧＡをＵＳＢ方式に具現することにより、コンピュ−タ−のスロット不足の問題を解決して、低い解像度を有するビデオデ−タ−を処理するため低仕様のチップセットによっても具現されることができる。
【００４１】
以上において、本発明を特定の好適な実施の形態を例として挙げ図示し説明したが、本発明は前記の実施の形態に限定されず、本発明の精神を逸脱しない範囲内にて当該発明の属する技術分野において通常の知識を有する者により様々な変更と修正が可能であろう。
【図面の簡単な説明】
【図１】  本発明によるＵＳＢポ−トを用いたデュアルモニタ−の補助モニタ−駆動用ビデオグラフィックアダプタ−の構成を説明するための構成図である。
【図２】  本発明にてＵＳＢ ＶＧＡの構成を説明するためのブロック図である。
【図３】  本発明にＵＳＢ ＶＧＡの異なった構成を説明するためのブロック図である。
【符号の説明】
１０…コンピュータ  １２…第１ＵＳＢポート  １４…メインＶＧＡ  ２０、２４、２６…ケーブル  ３０…モニター  ３２…メインモニター  ３４…補助モニター  ４１…制御部    ４２…第２ＵＳＢポート  ４３…ビデオＢＩＯＳ  ４４…ＲＡＭＤＡＣ  ４６…電源供給部
【図１】
0004753520.tif 000002
【図２】
0004753520.tif 000003
【図３】
0004753520.tif 000004